(57)【要約】【課題】圧縮オーディオ情報のプレイアビリティを向上させることができる「ディスク再生装置」を提供すること。【解決手段】ディスク２に記録されたオーディオ情報を再生する際に、ディスク２からＴＯＣ情報を取得することができない場合であっても、当該ディスク２の特定のアドレスをサーチすることによって取得された解析実行可能情報を用いて解析手段１４によるディスク２に記録された記録情報の解析を実行することによって、ディスク２に記録された圧縮オーディオ情報を再生すること。【選択図】図１
2008016081.tif 000002
【特許請求の範囲】
【請求項１】
オーディオ情報を含む記録情報が記録されたディスクを搭載可能に形成され、搭載されたディスクに記録されたオーディオ情報を再生するディスク再生装置であって、
前記搭載されたディスクに記録されたＴＯＣ情報を取得するＴＯＣ情報取得手段と、
このＴＯＣ情報取得手段による前記ＴＯＣ情報の取得が不能な場合に、前記搭載されたディスクが、ディスクに記録された記録情報の解析を実行することが可能な情報である解析実行可能情報がディスクの特定のアドレスに記録され、前記解析実行可能情報を用いた記録情報の解析によって記録情報に含まれる圧縮オーディオ情報の再生が可能とされた特定の規格に対応したディスクであると仮定して、前記搭載されたディスクに対して、前記特定のアドレスのサーチを行うサーチ手段と、
このサーチ手段によってサーチされた前記特定のアドレスにおいて、前記解析実行可能情報が取得された場合に、この解析実行可能情報を用いて前記搭載されたディスクに記録された記録情報の解析を実行する解析手段と、
この解析手段による解析によって、前記搭載されたディスクに前記圧縮オーディオ情報が記録されていることが確認された場合に、当該圧縮オーディオ情報を再生するＴＯＣ取得不能時圧縮オーディオ再生手段と
を備えたことを特徴とするディスク再生装置。
【請求項２】
前記特定の規格がＣＤ−ＲＯＭの規格とされ、前記解析実行可能情報が基本ボリューム記述子とされ、前記特定のアドレスがＡ−Ｔｉｍｅ０分２秒１６フレームとされていること
を特徴とする請求項１に記載のディスク再生装置。
【請求項３】
ＣＤ−ＤＡオーディオ情報および圧縮オーディオ情報を再生可能に形成されていることを特徴とする請求項１または請求項２に記載のディスク再生装置。
【発明の詳細な説明】
【技術分野】
【０００１】
本発明は、ディスク再生装置に係り、特に、ディスクに記録されたオーディオ情報を再生するのに好適なディスク再生装置に関する。
【背景技術】
【０００２】
従来から、オーディオ情報が光学的に記録されたディスクを再生するディスク再生装置には、ＣＤ−ＤＡ（Compact Disc Digital Audio）オーディオ情報だけではなく、ＭＰ３又はＭＰＥＧ Audio Layer 3等の圧縮フォーマットで圧縮された圧縮オーディオ情報の再生にも対応したものがあった。
【０００３】
図３は、このようなＣＤ−ＤＡオーディオ情報および圧縮オーディオ情報の双方の再生に対応したディスク再生装置の動作を示したものである。
【０００４】
このディスク再生装置では、ディスク再生装置における所定の搭載位置（ターンテーブル等）に搭載されたディスクの再生動作を開始し、図３におけるステップ１（ＳＴ１）において、ディスクの起動およびディスクの記録情報の読取りのためのサーボ制御を開始（オン）する。
【０００５】
次いで、ステップ２（ＳＴ２）において、ディスクからサブコードを取得してステップ３（ＳＴ３）に進む。
【０００６】
次いで、ステップ３（ＳＴ３）において、リードイン領域を読み取っているか否かを判定し、読み取っている場合にはステップ４（ＳＴ４）に進み、読み取っていない場合には、ステップ１１（ＳＴ１１）に進む。
【０００７】
ステップ４（ＳＴ４）においては、ＴＯＣ（Table of Contents)情報の取得を開始してステップ５（ＳＴ５）に進む。
【０００８】
一方、ステップ１１（ＳＴ１１）においては、ディスクの読み取る領域を現在の領域よりも内周側の領域へ移動（ジャンプ）させてステップ２（ＳＴ２）に戻る。
【０００９】
次いで、ステップ５（ＳＴ５）においては、全てのＴＯＣ情報が取得されたか否かを判定し、取得された場合には、ステップ８（ＳＴ８）に進み、取得されていない場合には、ステップ６（ＳＴ６）に進む。
【００１０】
ステップ６（ＳＴ６）においては、ＴＯＣ情報の取得の開始から所定時間（例えば１０秒）が経過したか否かを判定し、経過した場合にはステップ７（ＳＴ７）に進み、経過していない場合には、ステップ４（ＳＴ４）に戻る。
【００１１】
次いで、ステップ７（ＳＴ７）において、再度、全てのＴＯＣ情報が取得されたか否かを判定し、取得された場合には、ステップ８（ＳＴ８）に進み、取得されていない場合には、ステップ１６（ＳＴ１６）に進む。このステップ１６（ＳＴ１６）においては、ＴＯＣ情報の読取りエラーと判断して再生動作を停止する。
【００１２】
次いで、ステップ８（ＳＴ８）においては、取得されたＴＯＣ情報に基づいて、現在のセッション中（シングルセッションディスクの場合にはセッションは1個のみ）に記録されているトラックが、ＣＤ−ＤＡオーディオ情報のトラック（図におけるオーディオトラック）であるか、または、圧縮オーディオ情報のトラックであるかを判定する。
【００１３】
そして、ステップ８（ＳＴ８）において、オーディオトラックが記録されていると判定された場合には、ステップ９（ＳＴ９）に進み、圧縮オーディオ情報のトラックが記録されていると判定された場合には、ステップ１２（ＳＴ１２）に進む。
【００１４】
ステップ９（ＳＴ９）においては、オーディオトラックにおける第１番目のトラックをサーチし、続くステップ１０（ＳＴ１０）において、サーチされた第１番目のオーディオトラックに記録されたＣＤ−ＤＡオーディオ情報を再生する。
【００１５】
一方、ステップ１２（ＳＴ１２）においては、現在のセッション中に記録されているオーディオ情報のトラックが、ＣＤ−ＲＯＭの規格としてのＩＳＯ９６６０の下で記録された圧縮オーディオ情報のトラックであると判定した上で、基本ボリューム記述子（PVD:Priary Volume Descriptor）が記録されているＡ−Ｔｉｍｅ（絶対時間）０分２秒１６フレームをサーチしてステップ１３（ＳＴ１３）に進む。
【００１６】
ここで、ＩＳＯ９６６０は、ファイル構造として、ルートディレクトリの下にディレクトリが形成され、さらに、ディレクトリの下に、オーディオ情報のファイルが管理されているといった階層ディレクトリ構造を有している。また、ＩＳＯ９６６０においては、パステーブルと称されるディスク上のすべてのディレクトリを指し示す独自の検索テーブルを有している。さらに、ＩＳＯ９６６０は、前述した基本ボリューム記述子および副ボリューム記述子（SVD:Supplementary Volume Descriptor）等のボリューム記述子によって管理されている。特に、基本ボリューム記述子には、ボリューム（記録情報）の属性や、ルートディレクトリの位置、パステーブルの位置などが記述されており、この基本ボリューム記述子のディスク上の位置（アドレス）は、Ａ−Ｔｉｍｅ０分２秒１６フレームと定められている。ディスク再生装置は、この基本ボリューム記述子を取得することができれば、そこからディレクトリおよびオーディオ情報のファイルにアクセスすることが可能とされている。
【００１７】
図３に戻って、ステップ１３（ＳＴ１３）においては、ステップ１２（ＳＴ１２）においてサーチされたフレームにおいて取得された基本ボリューム記述子を用いて、圧縮オーディオ情報のファイルを解析してステップ１４（ＳＴ１４）に進む。
【００１８】
次いで、ステップ１４（ＳＴ１４）においては、ステップ１３（ＳＴ１３）の解析結果に基づいて、最初に再生すべき圧縮オーディオ情報が記録された最初のセクタをサーチし、続くステップ１５（ＳＴ１５）において、サーチされた最初のセクタに記録されている圧縮オーディオ情報をデコードして再生する。
【００１９】
【特許文献１】特開平６−１７６４７４号公報
【発明の開示】
【発明が解決しようとする課題】
【００２０】
ところで、ＩＳＯ９６６０の下で記録された圧縮オーディオ情報は、ＴＯＣ情報を取得することができない場合においても、基本ボリューム記述子を取得してディスクの記録情報を解析することにより、ディスクに記録された圧縮オーディオ情報を再生することは可能である。
【００２１】
しかしながら、従来は、リードイン領域に傷や汚れが存在することを原因として、搭載されたディスクからＴＯＣ情報を取得することができない場合には、たとえ、ＩＳＯ９６６０に対応する圧縮オーディオ情報がディスクに記録されていたとしても、図３のステップ１６（ＳＴ１６）に示したように、再生動作を一律に停止していた。
【００２２】
これにより、従来は、ＣＤ−ＤＡオーディオ情報の再生動作の制御に引きずられて、本来再生することが可能な圧縮オーディオ情報の再生が阻害されてしまうといった問題が生じていた。
【００２３】
そこで、本発明は、このような問題点に鑑みなされたものであり、圧縮オーディオ情報のプレイアビリティを向上させることができるディスク再生装置を提供することを目的とするものである。
【課題を解決するための手段】
【００２４】
前述した目的を達成するため、本発明に係るディスク再生装置は、オーディオ情報を含む記録情報が記録されたディスクを搭載可能に形成され、搭載されたディスクに記録されたオーディオ情報を再生するディスク再生装置であって、前記搭載されたディスクに記録されたＴＯＣ情報を取得するＴＯＣ情報取得手段と、このＴＯＣ情報取得手段による前記ＴＯＣ情報の取得が不能な場合に、前記搭載されたディスクが、ディスクに記録された記録情報の解析を実行することが可能な情報である解析実行可能情報がディスクの特定のアドレスに記録され、前記解析実行可能情報を用いた記録情報の解析によって記録情報に含まれる圧縮オーディオ情報の再生が可能とされた特定の規格に対応したディスクであると仮定して、前記搭載されたディスクに対して、前記特定のアドレスのサーチを行うサーチ手段と、このサーチ手段によってサーチされた前記特定のアドレスにおいて、前記解析実行可能情報が取得された場合に、この解析実行可能情報を用いて前記搭載されたディスクに記録された記録情報の解析を実行する解析手段と、この解析手段による解析によって、前記搭載されたディスクに前記圧縮オーディオ情報が記録されていることが確認された場合に、当該圧縮オーディオ情報を再生するＴＯＣ取得不能時圧縮オーディオ再生手段とを備えたことを特徴としている。そして、このような構成によれば、ＴＯＣ情報取得手段による搭載されたディスクからのＴＯＣ情報の取得ができない場合であっても、サーチ手段によってサーチされたアドレスにおいて取得された解析実行可能情報を用いて解析手段による記録情報の解析を実行することにより、搭載されたディスクに記録された圧縮オーディオ情報をＴＯＣ取得不能時圧縮オーディオ再生手段によって再生することが可能となる。
【００２５】
また、本発明に係る他のディスク再生装置は、前記特定の規格がＣＤ−ＲＯＭの規格とされ、前記解析実行可能情報が基本ボリューム記述子とされ、前記特定のアドレスがＡ−Ｔｉｍｅ０分２秒１６フレームとされていることを特徴としている。そして、このような構成によれば、サーチ手段によってサーチされたＡ−Ｔｉｍｅ０分２秒１６フレームにおいて取得された基本ボリューム記述子を用いて解析手段による記録情報の解析を行うことによって、搭載されたディスクに記録された圧縮オーディオ情報を再生することが可能となる。
【００２６】
さらに、本発明に係る他のディスク再生装置は、ＣＤ−ＤＡオーディオ情報および圧縮オーディオ情報を再生可能に形成されていることを特徴としている。そして、このような構成によれば、圧縮オーディオ情報を再生する際には、ＴＯＣ情報を取得することができない場合であっても、ＣＤ−ＤＡオーディオ情報の再生の場合のように再生動作を即時に停止することはせずに、解析実行可能情報を用いた解析手段による記録情報の解析を実行することによって、圧縮オーディオ情報を確実に再生することが可能となる。
【発明の効果】
【００２７】
本発明によれば、簡便な処理によって、ＴＯＣ情報を取得することができない場合における圧縮オーディオ情報のプレイアビリティを向上させることができる。また、本発明は、ＣＤ−ＤＡオーディオ情報と圧縮オーディオ情報との双方を再生する機器に有効に適用することができる。
【発明を実施するための最良の形態】
【００２８】
以下、本発明に係るディスク再生装置の実施形態について、図１および図２を参照して説明する。
【００２９】
図１に示すように、本実施形態におけるディスク再生装置１は、光ピックアップ装置３を有しており、この光ピックアップ装置３には、オーディオ情報を含む記録情報が記録されたディスクとして、シングルセッション形式のＣＤ２が搭載可能とされている。なお、本実施形態におけるＣＤ２は、ＣＤ−ＤＡオーディオ情報が記録されたＣＤ−ＤＡ（音楽ＣＤ）または圧縮オーディオ情報がＩＳＯ９６６０のファイル構造を有した状態として記録されたＣＤ−ＲＯＭとされている。
【００３０】
光ピックアップ装置３は、図示はしないが、半導体レーザ等の光源、光源から出射された光源光を集光してＣＤ２の記録面に照射する対物レンズ、ＣＤ２の記録面によって反射された光源光（ＣＤ２の記録情報を伝送する光信号）を受光して電気信号に光電変換するＰＤＩＣ等の受光素子および対物レンズをラジアル方向（トラッキング方向）または光軸方向（フォーカシング方向）に移動させるためのアクチュエータ等によって構成されている。
【００３１】
光ピックアップ装置３には、ＲＦアンプ５が接続されており、このＲＦアンプ５には、光ピックアップ装置３の受光素子による光電変換によって生成された電気信号が入力されるようになっている。ＲＦアンプ５は、光ピックアップ装置３の受光素子から入力された電気信号に基づいて、ＣＤ２の記録情報を伝送するＲＦ信号、トラッキングエラー信号およびフォーカスエラー信号を生成するようになっている。
【００３２】
ＲＦアンプ５には、サーボＤＳＰ６が接続されており、このサーボＤＳＰ６には、ＲＦアンプ５によって生成されたＲＦ信号、トラッキングエラー信号およびフォーカスエラー信号が入力されるようになっている。
【００３３】
サーボＤＳＰ６は、デジタル信号化部７を有しており、このデジタル信号化部７は、ＲＦアンプ５側から入力された前記ＲＦ信号、トラッキングエラー信号およびフォーカスエラー信号をデジタル化するようになっている。
【００３４】
サーボＤＳＰ６は、サーボ制御ブロック８を有しており、このサーボ制御ブロック８は、ＣＤ２の記録情報のサーチ、トラッキングサーボまたはフォーカスサーボ等のＣＤ２に記録されたオーディオ情報の再生に要する各種の動作を制御するようになっている。
【００３５】
サーボＤＳＰ６には、サーボ回路１０が接続されており、このサーボ回路１０は、サーボ制御ブロック８の制御の下で光ピックアップ装置３のアクチュエータを駆動することによって、対物レンズをトラッキング方向またはフォーカシング方向に適宜移動させるようになっている。
【００３６】
サーボＤＳＰ６には、ＴＯＣ情報取得手段としてのマイコン１４が接続されており、このマイコン１４は、デジタル信号化部７によってデジタル化されたＲＦ信号を取得し、取得されたＲＦ信号から、ＣＤ２のリードイン領域に記録されたＴＯＣ情報を取得するようになっている。
【００３７】
そして、マイコン１４は、取得されたＴＯＣ情報から、ＣＤ２に記録されているオーディオ情報がＣＤ−ＤＡオーディオ情報であるか、または、圧縮オーディオ情報であるかを判定するようになっている。
【００３８】
サーボＤＳＰ６は、デジタル信号化部７に接続されたＣＤ−ＤＡ用ＤＡＣ１１を有している。
【００３９】
マイコン１４は、前記判定の結果、ＣＤ２に記録されているオーディオ情報がＣＤ−ＤＡオーディオ情報である場合、すなわち、ＣＤ２がＣＤ−ＤＡである場合には、サーボＤＳＰ６に対する制御により、ＣＤ−ＤＡオーディオ情報を伝送するＲＦ信号を、デジタル信号化部７によるデジタル信号化の後にＣＤ−ＤＡ用ＤＡＣ１１に入力させるようになっている。
【００４０】
ＣＤ−ＤＡ用ＤＡＣ１１は、デジタル信号化部７側から入力されたＲＦ信号をＤ−Ａ変換することによって、アナログのＣＤ−ＤＡオーディオデータを生成するようになっている。
【００４１】
ＣＤ−ＤＡ用ＤＡＣ１１によって生成されたＣＤ−ＤＡオーディオデータは、サーボＤＳＰ６に接続されたスピーカ１２に出力され、このスピーカ１２によって音声出力されるようになっている。
【００４２】
これにより、ＣＤ２としてのＣＤ−ＤＡに記録されたＣＤ−ＤＡオーディオ情報が再生されるようになっている。
【００４３】
また、サーボＤＳＰ６には、圧縮オーディオデコーダ１５が接続されており、この圧縮オーディオデコーダ１５は、サーボＤＳＰ６に接続された圧縮データデコード部１６と、この圧縮データデコード部１６および前述したスピーカ１２に接続された圧縮オーディオ用ＤＡＣ１７とを有している。
【００４４】
マイコン１４は、前記判定の結果、ＣＤ２に記録されているオーディオ情報が圧縮オーディオ情報である場合、すなわち、ＣＤ２が、圧縮オーディオ情報を記録したＣＤ−ＲＯＭである場合には、サーボＤＳＰ６に対する制御により、圧縮オーディオ情報を伝送するＲＦ信号を、デジタル信号化部７におけるデジタル信号化の後に圧縮オーディオデコーダ１５に対して出力させるようになっている。
【００４５】
圧縮オーディオデコーダ１５は、サーボＤＳＰ６から出力されたＲＦ信号を圧縮データデコード部１６入力してデコードし、デコードされたＲＦ信号を圧縮オーディオ用ＤＡＣ１７によってＤ−Ａ変換することによってアナログのオーディオデータを生成するようになっている。そして、圧縮オーディオデコーダ１５は、生成されたオーディオデータを、スピーカ１２に出力して音声出力させることによって、圧縮オーディオ情報を再生するようになっている。
【００４６】
そして、本実施形態において、マイコン１４、サーボ制御ブロック８、サーボ回路１０、光ピックアップ装置３、ＲＦアンプ５およびデジタル信号化部７は、サーチ手段として機能するようになっている。
【００４７】
すなわち、マイコン１４は、ＲＦ信号からのＴＯＣ情報の取得が不能な場合には、ＣＤ２が、特定のアドレスとしてのＡ−Ｔｉｍｅ０分２秒１６フレームに、解析実行可能情報としての基本ボリューム記述子が記録された特定の規格としてのＩＳＯ９６６０に対応したＣＤ−ＲＯＭであると仮定するようになっている。
【００４８】
そして、マイコン１４は、サーボ制御ブロック８に対して、Ａ−Ｔｉｍｅ０分２秒１６フレームのサーチを実行するための指令（以下、サーチ実行指令と称する）を出力するようになっている。
【００４９】
サーボ制御ブロック８は、マイコン１４からのサーチ実行指令にしたがって、Ａ−Ｔｉｍｅ０分２秒１６フレームのサーチのためのサーボ制御をサーボ回路１０に対して行うようになっている。
【００５０】
サーボ回路１０は、サーボ制御ブロック８による当該サーボ制御の下で、光ピックアップ装置３の対物レンズをトラッキング方向に駆動してＡ−Ｔｉｍｅ０分２秒１６フレームの位置まで移動させることによって、Ａ−Ｔｉｍｅ０分２秒１６フレームをサーチするようになっている。
【００５１】
光ピックアップ装置３は、光源光をＣＤ２のＡ−Ｔｉｍｅ０分２秒１６フレームの位置に照射することによって、Ａ−Ｔｉｍｅ０分２秒１６フレームの記録情報を伝送する光信号を取得し、この光信号を受光素子によって電気信号に変換してＲＦアンプ５に出力するようになっている。
【００５２】
ＲＦアンプ５は、光ピックアップ装置３から出力された当該電気信号に基づいてＲＦ信号を生成し、これをＡ−Ｔｉｍｅ０分２秒１６フレームのサーチ結果としてサーボＤＳＰ６に出力するようになっている。
【００５３】
サーボＤＳＰ６に出力されたＡ−Ｔｉｍｅ０分２秒１６フレームのサーチ結果（ＲＦ信号）は、デジタル信号化部７によってデジタル信号化されるようになっている。
【００５４】
このようにして、サーチ手段１４，８，１０，３，５，７により、Ａ−Ｔｉｍｅ０分２秒１６フレームのサーチ結果が取得されるようになっている。
【００５５】
また、本実施形態において、マイコン１４は、Ａ−Ｔｉｍｅ０分２秒１６フレームのサーチ結果としてのＲＦ信号をサーボＤＳＰ６から取得することによって、サーチされたＡ−Ｔｉｍｅ０分２秒１６フレームにおいて基本ボリューム記述子が取得されか否か、換言すれば、Ａ−Ｔｉｍｅ０分２秒１６フレームに基本ボリューム記述子が記録されているか否かを判定するようになっている。
【００５６】
そして、この判定の結果、Ａ−Ｔｉｍｅ０分２秒１６フレームにおいて基本ボリューム記述子が取得された場合には、マイコン１４は、解析手段として機能し、取得された基本ボリューム記述子を用いることによって、ＣＤ２の記録情報の解析を実行し、ＣＤ２に圧縮オーディオ情報が記録されているか否かを判定するようになっている。
【００５７】
さらに、本実施形態において、マイコン１４、サーボＤＳＰ６におけるデジタル信号化部７ならびにサーボ制御ブロック８、サーボ回路１０、光ピックアップ装置３、ＲＦアンプ５、圧縮オーディオデコーダ１５およびスピーカ１２は、ＴＯＣ取得不能時圧縮オーディオ再生手段として機能するようになっている。
【００５８】
すなわち、マイコン１４は、前記解析の結果、ＣＤ２に圧縮オーディオ情報が記録されていることが確認された場合には、圧縮オーディオ情報を再生するための指令（以下、圧縮オーディオ再生指令と称する）をサーボ制御ブロック８に出力するようになっている。この圧縮オーディオ再生指令は、圧縮オーディオ情報が記録されている各セクタを再生順に順次指定する動作をともなっている。
【００５９】
サーボ制御ブロック８は、マイコン１４からの圧縮オーディオ再生指令にしたがって、圧縮オーディオ情報を再生するためのサーボ制御をサーボ回路１０に対して行うようになっている。
【００６０】
サーボ回路１０は、サーボ制御ブロック８による当該サーボ制御の下で、光ピックアップ装置３の対物レンズをトラッキング方向に駆動して、マイコン１４によって指定されたセクタ（以下、指定セクタと称する）の位置まで移動させるようになっている。
【００６１】
光ピックアップ装置３は、指定セクタに照射されて反射された光源光、すなわち、指定セクタに記録された圧縮オーディオ情報を伝送する光信号を、受光素子によって電気信号に変換してＲＦアンプ５に出力するようになっている。
【００６２】
ＲＦアンプ５は、光ピックアップ装置３から出力された電気信号に基づいて、指定セクタに記録された圧縮オーディオ情報を伝送するＲＦ信号と、トラッキングエラー信号と、フォーカスエラー信号とを生成し、これらをサーボＤＳＰ６に出力するようになっている。
【００６３】
ＲＦアンプ５からサーボＤＳＰ６に出力された各信号は、デジタル信号化部７によってデジタル信号化され、デジタル信号化された信号のうち、指定セクタに記録された圧縮オーディオ情報を伝送するＲＦ信号は、マイコン１４による制御によって、圧縮オーディオデコーダ１５に出力されるようになっている。そして、圧縮オーディオデコーダ１５は、当該ＲＦ信号を、圧縮データデコード部１６においてデコードし、さらに、圧縮オーディオ用ＤＡＣ１７においてＤ−Ａ変換することによってアナログのオーディオデータを生成するようになっている。そして、圧縮オーディオデコーダ１５は、生成されたオーディオデータをスピーカ１２に出力して音声出力させることによって、圧縮オーディオ情報を再生するようになっている。
【００６４】
したがって、本実施形態においては、ＴＯＣ情報を取得することができない場合であっても、圧縮オーディオ情報を再生することが可能となる。
【００６５】
なお、マイコン１４は、ＴＯＣ情報が取得された上で圧縮オーディオ情報を再生する場合にも、Ａ−Ｔｉｍｅ０分２秒１６フレームにおいて取得された基本ボリューム記述子を用いて記録情報を解析した上で、圧縮オーディオ情報を再生するようになっている。
【００６６】
次に、本実施形態の作用について説明する。
【００６７】
本実施形態においては、光ピックアップ装置３の所定の搭載位置（ターンテーブル等）に搭載されたＣＤ２の再生動作を開始し、図２におけるステップ２１（ＳＴ２１）において、光ピックアップ装置３によってＣＤ２を起動し、サーボＤＳＰ６によってサーボ制御を開始（オン）する。
【００６８】
次いで、ステップ２２（ＳＴ２２）において、光ピックアップ装置３によるＣＤ２の記録面への光源光の照射によって、ＣＤ２からサブコードを取得してステップ２３（ＳＴ２３）に進む。
【００６９】
次いで、ステップ２３（ＳＴ２３）において、マイコン１４により、サーボＤＳＰ６から取得したＲＦ信号に基づいて、光ピックアップ装置３が現在リードイン領域を読み取っているか否かを判定し、読み取っている場合にはステップ２４（ＳＴ２４）に進み、読み取っていない場合には、ステップ３１（ＳＴ３１）に進む。
【００７０】
ステップ２４（ＳＴ２４）においては、マイコン１４により、サーボＤＳＰ６から取得したＲＦ信号からのＴＯＣ情報の取得を開始してステップ２５（ＳＴ２５）に進む。
【００７１】
一方、ステップ３１（ＳＴ３１）においては、マイコン１４からの指令にしたがったサーボ制御ブロック８のサーボ制御により、読み取る領域を現在の領域よりも内周の領域へ移動（ジャンプ）させてステップ２２（ＳＴ２２）に戻る。
【００７２】
次いで、ステップ２５（ＳＴ２５）においては、マイコン１４により、全てのＴＯＣ情報が取得されたか否かを判定し、取得された場合には、ステップ２８（ＳＴ２８）に進み、取得されていない場合には、ステップ２６（ＳＴ２６）に進む。
【００７３】
ステップ２６（ＳＴ２６）においては、マイコン１４により、ＴＯＣ情報の取得の開始から所定時間（例えば１０秒）が経過したか否かを判定し、経過した場合にはステップ２７（ＳＴ２７）に進み、経過していない場合には、ステップ２４（ＳＴ２４）に戻る。
【００７４】
次いで、ステップ２７（ＳＴ２７）において、マイコン１４により、再度、全てのＴＯＣ情報が取得されたか否かを判定し、取得された場合には、ステップ２８（ＳＴ２８）に進み、取得されていない場合には、ステップ３６（ＳＴ３６）に進む。
【００７５】
ステップ２８（ＳＴ２８）においては、マイコン１４により、ステップ２５（ＳＴ２５）またはステップ２７（ＳＴ２７）において取得されたＴＯＣ情報に基づいて、ＣＤ２に記録されているオーディオ情報のトラックが、ＣＤ−ＤＡオーディオ情報のトラック（図２におけるオーディオトラック）であるか、または、圧縮オーディオ情報のトラックであるかを判定する。なお、本実施形態におけるＣＤ２は、シングルセッション形式のＣＤ２であるため、ステップ２８（ＳＴ２８）の判定は、ＣＤ２がＣＤ−ＤＡであるか、または、ＣＤ−ＲＯＭであるかの判定と同義となる。
【００７６】
そして、ステップ２８（ＳＴ２８）において、ＣＤ２にオーディオトラックが記録されていると判定された場合には、ステップ２９（ＳＴ２９）に進み、圧縮オーディオ情報のトラックが記録されていると判定された場合には、ステップ３２（ＳＴ３２）に進む。
【００７７】
ステップ２９（ＳＴ２９）においては、マイコン１４からの指令にしたがったサーボ制御ブロック８のサーボ制御により、オーディオトラックにおける第１番目のトラックをサーチし、続くステップ３０（ＳＴ３０）において、サーチされた第１番目のオーディオトラックに記録されたＣＤ−ＤＡオーディオ情報を、ＣＤ−ＤＡ用ＤＡＣ１１によるＣＤ−ＤＡオーディオデータの生成および当該ＣＤ−ＤＡオーディオデータのスピーカ１２による音声出力によって再生する。なお、図示はしないが、ディスク再生装置１は、第１番目のオーディオトラックに記録されたＣＤ−ＤＡオーディオ情報を再生した後は、第２番目以降のオーディオトラックに記録されたＣＤ−ＤＡオーディオ情報を、第１番目のオーディオトラックと同様に順次再生する。
【００７８】
一方、ステップ３２（ＳＴ３２）においては、ＣＤ２に記録されているオーディオ情報のトラックが、ＩＳＯ９６６０の下で記録された圧縮オーディオ情報のトラックであると判定した上で、マイコン１４による指令にしたがったサーボ制御ブロック８のサーボ制御により、基本ボリューム記述子が記録されているＡ−Ｔｉｍｅ０分２秒１６フレームをサーチしてステップ３３（ＳＴ３３）に進む。
【００７９】
次いで、ステップ３３（ＳＴ３３）においては、マイコン１４により、ステップ３２（ＳＴ３２）においてサーチされたＡ−Ｔｉｍｅ０分２秒１６フレームにおいて取得された基本ボリューム記述子を用いて、圧縮オーディオ情報のファイルを解析してステップ３４（ＳＴ３４）に進む。
【００８０】
次いで、ステップ３４（ＳＴ３４）においては、ステップ３３（ＳＴ３３）の解析結果に基づいて、最初に再生すべき圧縮オーディオ情報が記録された最初のセクタをサーチし、続くステップ３５（ＳＴ３５）において、圧縮オーディオデコーダ１５によるオーディオデータの生成および当該オーディオデータのスピーカ１２による音声出力によって、最初のセクタに記録されている圧縮オーディオ情報を再生する。なお、図示はしないが、ディスク再生装置１は、最初のセクタに記録されたオーディオ情報が再生された後は、最初のセクタ以降のセクタに記録された圧縮オーディオ情報を、最初のセクタの場合と同様に順次再生する。
【００８１】
ここで、従来は、ステップ２７（ＳＴ２７）に相当する工程において、ＴＯＣ情報を取得することができない場合には、即時に、再生動作を停止していた。
【００８２】
これに対し、本実施形態においては、ＴＯＣ情報が取得されない場合であっても、圧縮オーディオ情報の再生動作を継続する。
【００８３】
すなわち、ステップ２７（ＳＴ２７）からステップ３６（ＳＴ３６）に進む場合には、マイコン１４により、ＣＤ２が、Ａ−Ｔｉｍｅ０分２秒１６フレームに基本ボリューム記述子が記録されたＩＳＯ９６６０に対応したＣＤ−ＲＯＭであると仮定し、Ａ−Ｔｉｍｅ０分２秒１６フレームをサーチしてステップ３７（ＳＴ３７）に進む。
【００８４】
次いで、ステップ３７（ＳＴ３７）において、マイコン１４により、ステップ３６（ＳＴ３６）においてサーチされたＡ−Ｔｉｍｅ０分２秒１６フレームにおいて基本ボリューム記述子が取得されたか否か、すなわち、Ａ−Ｔｉｍｅ０分２秒１６フレームに本当に基本ボリューム記述子が記録されているか否かを判定する。そして、ステップ３７（ＳＴ３７）において、基本ボリューム記述子が取得された場合には、ステップ３８（ＳＴ３８）に進み、取得されなかった場合には、ステップ４２（ＳＴ４２）に進む。
【００８５】
ステップ３８（ＳＴ３８）においては、マイコン１４により、基本ボリューム記述子を用いることによって、ＣＤ２の記録情報を解析してステップ３９（ＳＴ３９）に進む。
【００８６】
次いで、ステップ３９（ＳＴ３９）において、ステップ３８（ＳＴ３８）の解析の結果、ＣＤ２に圧縮オーディオ情報が記録されているか否かを判定し、圧縮オーディオ情報が記録されている場合には、ステップ４０（ＳＴ４０）に進み、記録されていない場合には、ステップ４２（ＳＴ４２）に進む。
【００８７】
ステップ４０（ＳＴ４０）およびこれに続くステップ４１（ＳＴ４１）においては、ステップ３４（ＳＴ３４）およびステップ３５(ＳＴ３５）と同様の処理を行う。すなわち、ステップ４０（ＳＴ４０）において、ステップ３８（ＳＴ３８）の解析結果に基づいて、最初に再生すべき圧縮オーディオ情報が記録された最初のセクタをサーチし、続くステップ４１（ＳＴ４１）において、圧縮オーディオデコーダ１５によるオーディオデータの生成および当該オーディオデータのスピーカ１２による音声出力によって、最初のセクタに記録されている圧縮オーディオ情報を再生する。最初のセクタに記録されたオーディオ情報が再生された後は、最初のセクタ以降のセクタに記録された圧縮オーディオ情報を、最初のセクタの場合と同様に順次再生する。
【００８８】
一方、ステップ４２（ＳＴ４２）においては、マイコン１４により、ＴＯＣ情報の読取りエラーと判断して再生動作を停止する。
【００８９】
以上述べたように、本実施形態によれば、ＣＤ２からＴＯＣ情報を取得することができない場合であっても、Ａ−Ｔｉｍｅ０分２秒１６フレームにおいて取得された基本ボリューム記述子を用いてＣＤ２の記録情報の解析を行うことにより、ＣＤ２に記録された圧縮オーディオ情報を確実に再生することが可能となる。
【００９０】
この結果、ＣＤ−ＤＡオーディオ情報と圧縮オーディオ情報との双方を再生するオーディオ機器における圧縮オーディオ情報のプレイアビリティを向上させることができる。
【００９１】
なお、本発明は、前述した実施の形態に限定されるものではなく、必要に応じて種々の変更が可能である。
【００９２】
例えば、本発明は、マルチセッション形式のディスクに適用してもよいことは勿論である。
【００９３】
また、圧縮オーディオ情報の再生は、テキスト情報の再生をともなうものであってもよい。
【図面の簡単な説明】
【００９４】
【図１】本発明に係るディスク再生装置の実施形態を示すブロック図
【図２】本発明に係るディスク再生装置の実施形態において、オーディオ情報の再生動作を示すフローチャート
【図３】従来のオーディオ情報の再生動作の一例を示すフローチャート
【符号の説明】
【００９５】
１  ディスク再生装置
２  ＣＤ
３  光ピックアップ装置
５  ＲＦアンプ
６  サーボＤＳＰ
７  デジタル信号化部
８  サーボ制御ブロック
１０  サーボ回路
１２  スピーカ
１４  マイコン
１５  圧縮オーディオデコーダ
【図１】
2008016081.tif 000003
【図２】
2008016081.tif 000004
【図３】
2008016081.tif 000005